(57)【要約】【課題】地上デジタル放送をしばらく受信しない状態であっても、衛星デジタル放送を一回受信するだけで、地上デジタル放送の放送番組の番組情報を取得したかのような処理を行うことが可能なデジタル放送受信装置を提供するを提供する。【解決手段】デジタル放送受信装置のＥＰＧ情報処理部１４は、ＥＰＧの表示のための出力やＥＰＧに基づく番組検索を行う。さらに、ＥＰＧ情報処理部１４は、衛星デジタル放送の放送番組についてのＥＰＧに係わる処理に際し、衛星デジタル放送による再送信番組についての受信契約情報が存在しなかった場合（再送信番組の視聴契約がない場合）には、再送信番組の番組情報を、対応する地上デジタル放送の放送番組用として用いる。【選択図】図１
2012039175.tif 000002
【特許請求の範囲】
【請求項１】
地上デジタル放送と、該地上デジタル放送で放送される放送番組についての再送信番組を含む衛星デジタル放送とを受信可能なデジタル放送受信装置であって、
該デジタル放送受信装置は、電子番組表の表示のための出力及び該電子番組表に基づく番組検索を行う番組表処理部を備え、
該番組表処理部は、前記衛星デジタル放送の放送番組についての電子番組表に係わる処理に際し、前記再送信番組についての受信契約情報が存在しなかった場合には、前記再送信番組の番組情報を、対応する前記地上デジタル放送の放送番組用として用いることを特徴とするデジタル放送受信装置。
【請求項２】
請求項１に記載のデジタル放送受信装置において、前記番組表処理部は、前記受信契約情報が存在しなかった場合には、前記再送信番組のチャンネル番号を表示しないようにすることを特徴とするデジタル放送受信装置。
【請求項３】
請求項１又は２に記載のデジタル放送受信装置において、前記番組表処理部は、前記地上デジタル放送の放送番組についての電子番組表に係わる処理に際し、前記地上デジタル放送の放送番組の番組情報を全局取得できていない場合には、前記再送信番組の番組情報を代わりに用いることを特徴とするデジタル放送受信装置。
【請求項４】
請求項１〜３のいずれか１項に記載のデジタル放送受信装置において、
該デジタル放送受信装置は、前記電子番組表からのユーザ操作に基づき選局を行う選局処理部をさらに備え、
前記選局処理部は、前記電子番組表から前記再送信番組に対して選局を行うユーザ操作を受けた場合で且つ前記受信契約情報が存在しなかった場合、前記番組表処理部からの制御により、前記再送信番組に対応する前記地上デジタル放送の放送番組を選局することを特徴とするデジタル放送受信装置。
【請求項５】
請求項１〜４のいずれか１項に記載のデジタル放送受信装置において、
該デジタル放送受信装置は、視聴履歴に基づき推奨する放送番組を抽出し、ユーザに提示する推奨番組提示部をさらに備え、
前記推奨番組提示部は、推奨する放送番組として前記再送信番組を抽出した場合で且つ前記受信契約情報が存在しなかった場合には、前記番組表処理部からの制御により、前記再送信番組の番組情報に対応する前記地上デジタル放送の放送番組の番組情報を、推奨する放送番組として提示することを特徴とするデジタル放送受信装置。
【請求項６】
請求項１〜５のいずれか１項に記載のデジタル放送受信装置において、
該デジタル放送受信装置は、前記電子番組表からのユーザ操作に基づき放送番組の視聴予約又は録画予約の設定を行う予約設定部と、該設定に従って放送番組の出力又は放送番組の録画を実行する予約実行部と、をさらに備え、
前記予約設定部は、前記電子番組表から前記再送信番組に対して視聴予約又は録画予約を行うユーザ操作を受けた場合で且つ前記受信契約情報が存在しなかった場合、前記番組表処理部からの制御により、前記再送信番組に対応する前記地上デジタル放送の放送番組について視聴予約又は録画予約の設定を行うことを特徴とするデジタル放送受信装置。
【請求項７】
請求項１〜６のいずれか１項に記載のデジタル放送受信装置において、
該デジタル放送受信装置は、視聴履歴に基づき推奨する放送番組を抽出し、録画する推奨番組自動録画部をさらに備え、
前記推奨番組自動録画部は、推奨する放送番組として前記再送信番組を抽出した場合で且つ前記受信契約情報が存在しなかった場合には、前記番組表処理部からの制御により、前記再送信番組の番組情報に対応する前記地上デジタル放送の放送番組の番組情報を、推奨する放送番組として録画することを特徴とするデジタル放送受信装置。
【請求項８】
請求項１〜７のいずれか１項に記載のデジタル放送受信装置において、前記番組表処理部が、前記再送信番組の番組情報を対応する前記地上デジタル放送の放送番組用として用いる処理を実行するか否かを、ユーザ操作により設定させる設定部をさらに備えたことを特徴とするデジタル放送受信装置。
【請求項９】
請求項１〜８のいずれか１項に記載のデジタル放送受信装置において、前記番組表処理部は、前記デジタル放送受信装置で設定された地域設定が所定地域である場合のみ、前記再送信番組の番組情報を、対応する前記地上デジタル放送の放送番組用として用いることを特徴とするデジタル放送受信装置。
【請求項１０】
請求項１〜９のいずれか１項に記載のデジタル放送受信装置において、前記デジタル放送受信装置は、前記地上デジタル放送で放送される放送番組についての再送信番組を含む、ＩＰテレビ放送を受信可能とし、前記番組表処理部は、前記ＩＰテレビ放送の放送番組についての電子番組表に係わる処理に際し、前記ＩＰテレビ放送による前記再送信番組についての受信契約情報が存在しなかった場合には、前記再送信番組の番組情報を、対応する前記ＩＰテレビ放送の放送番組用として用いることを特徴とするデジタル放送受信装置。
【発明の詳細な説明】
【技術分野】
【０００１】
本発明は、電子番組表を出力することが可能なデジタル放送受信装置に関する。
【背景技術】
【０００２】
従来から、デジタル放送受信装置は、電子番組表（Electronic Program Guide：ＥＰＧ）が出力可能になっており、そのＥＰＧから視聴予約や録画予約を設定することや選局を行うことが可能になっている。また、デジタル放送受信装置には、地上デジタル放送、ＢＳ（Broadcasting Satellite）デジタル放送、ＣＳ（Communication Satellite）デジタル放送など、異なる放送形態の放送波を受信可能に構成されているものが多い。
【０００３】
従って、複数の放送形態で放送されている番組を同時に１つのＥＰＧに表示させることが望まれている。
特許文献１には、テレビジョン・システムにおけるマルチソース情報の組合せに関し、地上波や衛星放送など複数の番組ソースに対応するチャンネルガイド情報を表示することが記載されている。
【０００４】
ところで、現在、日本国における地上波のテレビジョン放送はアナログ放送からデジタル放送への移行時期にさしかかっており、一部で地上デジタル放送が受信できない地域（難視聴地域）が存在する。そのため、日本国内では、暫定的難視聴対策事業としての地デジ難視対策衛星放送が開始され、ＢＳデジタル放送を利用して地上デジタル放送の番組が再送信（同時放送）されている。これにより、地上デジタル放送の難視聴地域でも地上デジタル放送用の番組を視聴することが可能になっている。なお、この地デジ難視対策衛星放送は、地上デジタル放送の難視聴世帯向けの放送であって、難視聴世帯にのみ視聴可能になっており、視聴するためには視聴登録を行い、デジタル放送受信装置内、例えばＢ−ＣＡＳカード内にその契約情報を登録しておく必要がある。
【０００５】
また、地デジ難視対策衛星放送の開始により、難視聴世帯でなくとも再送信番組がＢＳデジタル放送のＥＰＧに含まれるようになっており、難視聴世帯のユーザにとっては必要であるが、一般ユーザにとっては余計な番組が選択対象として表示されるため操作が面倒になる。
【先行技術文献】
【特許文献】
【０００６】
【特許文献１】特許第４２０３１０３号公報
【発明の概要】
【発明が解決しようとする課題】
【０００７】
上述のように、複数の放送形態で放送されている番組を同時に１つのＥＰＧに表示させることが望まれている。そして、地上デジタル放送は最も一般的に視聴されている放送であることもあり、１つのＥＰＧに放送番組を含めたい放送形態の１つとして挙げられる。
【０００８】
しかしながら、特許文献１に記載の技術では、地上デジタル放送の放送波と衛星デジタル放送など他の放送形態の放送波とを受信して番組情報を取得しないと、地上デジタル放送を含む複数ソースの番組で構成される番組表を表示させることや、それらの番組からの番組検索ができない。
【０００９】
より具体的には、地上デジタル放送ではＥＰＧで表示するための番組の情報は、各局ＳＩ（Service Information）の仕組みで伝送されるため、地上デジタル放送番組を含むＥＰＧの表示や番組検索を行うためには、予め全ての放送局を受信して、ＥＰＧ用の情報を取得しておく必要がある。そして、受信機では通常８日分の番組情報を保持しているため、日付が変わってから受信した放送局以外は８日後（一週間後の同じ曜日）の番組情報が未取得となる。
【００１０】
本発明は、上述のような実状に鑑みてなされたものであり、その目的は、地上デジタル放送をしばらく受信しない状態であっても、衛星デジタル放送を一回受信するだけで、地上デジタル放送の放送番組の番組情報を取得したかのような処理を行うことが可能なデジタル放送受信装置を提供することにある。
【課題を解決するための手段】
【００１１】
上記課題を解決するために、本発明の第１の技術手段は、地上デジタル放送と、該地上デジタル放送で放送される放送番組についての再送信番組を含む衛星デジタル放送とを受信可能なデジタル放送受信装置であって、該デジタル放送受信装置は、電子番組表の表示のための出力及び該電子番組表に基づく番組検索を行う番組表処理部を備え、該番組表処理部は、前記衛星デジタル放送の放送番組についての電子番組表に係わる処理に際し、前記再送信番組についての受信契約情報が存在しなかった場合には、前記再送信番組の番組情報を、対応する前記地上デジタル放送の放送番組用として用いることを特徴としたものである。
【００１２】
第２の技術手段は、第１の技術手段において、前記番組表処理部は、前記受信契約情報が存在しなかった場合には、前記再送信番組のチャンネル番号を表示しないようにすることを特徴としたものである。
【００１３】
第３の技術手段は、第１又は第２の技術手段において、前記番組表処理部は、前記地上デジタル放送の放送番組についての電子番組表に係わる処理に際し、前記地上デジタル放送の放送番組の番組情報を全局取得できていない場合には、前記再送信番組の番組情報を代わりに用いることを特徴としたものである。
【００１４】
第４の技術手段は、第１〜第３のいずれか１の技術手段において、該デジタル放送受信装置は、前記電子番組表からのユーザ操作に基づき選局を行う選局処理部をさらに備え、該選局処理部は、前記電子番組表から前記再送信番組に対して選局を行うユーザ操作を受けた場合で且つ前記受信契約情報が存在しなかった場合、前記番組表処理部からの制御により、前記再送信番組に対応する前記地上デジタル放送の放送番組を選局することを特徴としたものである。
【００１５】
第５の技術手段は、第１〜第４のいずれか１の技術手段において、該デジタル放送受信装置は、視聴履歴に基づき推奨する放送番組を抽出し、ユーザに提示する推奨番組提示部をさらに備え、前記推奨番組提示部は、推奨する放送番組として前記再送信番組を抽出した場合で且つ前記受信契約情報が存在しなかった場合には、前記番組表処理部からの制御により、前記再送信番組の番組情報に対応する前記地上デジタル放送の放送番組の番組情報を、推奨する放送番組として提示することを特徴としたものである。
【００１６】
第６の技術手段は、第１〜第５のいずれか１の技術手段において、該デジタル放送受信装置は、前記電子番組表からのユーザ操作に基づき放送番組の視聴予約又は録画予約の設定を行う予約設定部と、該設定に従って放送番組の出力又は放送番組の録画を実行する予約実行部と、をさらに備え、前記予約設定部は、前記電子番組表から前記再送信番組に対して視聴予約又は録画予約を行うユーザ操作を受けた場合で且つ前記受信契約情報が存在しなかった場合、前記番組表処理部からの制御により、前記再送信番組に対応する前記地上デジタル放送の放送番組について視聴予約又は録画予約の設定を行うことを特徴としたものである。
【００１７】
第７の技術手段は、第１〜第６のいずれか１の技術手段において、該デジタル放送受信装置は、視聴履歴に基づき推奨する放送番組を抽出し、録画する推奨番組自動録画部をさらに備え、前記推奨番組自動録画部は、推奨する放送番組として前記再送信番組を抽出した場合で且つ前記受信契約情報が存在しなかった場合には、前記番組表処理部からの制御により、前記再送信番組の番組情報に対応する前記地上デジタル放送の放送番組の番組情報を、推奨する放送番組として録画することを特徴としたものである。
【００１８】
第８の技術手段は、第１〜第７のいずれか１の技術手段において、前記番組表処理部が、前記再送信番組の番組情報を対応する前記地上デジタル放送の放送番組用として用いる処理を実行するか否かを、ユーザ操作により設定させる設定部をさらに備えたことを特徴としたものである。
【００１９】
第９の技術手段は、第１〜第８のいずれか１の技術手段において、前記番組表処理部は、前記デジタル放送受信装置で設定された地域設定が所定地域である場合のみ、前記再送信番組の番組情報を、対応する前記地上デジタル放送の放送番組用として用いることを特徴としたものである。
【００２０】
第１０の技術手段は、第１〜第９のいずれか１の技術手段において、前記デジタル放送受信装置は、前記地上デジタル放送で放送される放送番組についての再送信番組を含む、ＩＰテレビ放送を受信可能とし、前記番組表処理部は、前記ＩＰテレビ放送の放送番組についての電子番組表に係わる処理に際し、前記ＩＰテレビ放送による前記再送信番組についての受信契約情報が存在しなかった場合には、前記再送信番組の番組情報を、対応する前記ＩＰテレビ放送の放送番組用として用いることを特徴としたものである。
【発明の効果】
【００２１】
本発明に係るデジタル放送受信装置によれば、地上デジタル放送をしばらく受信しない状態であっても、衛星デジタル放送を一回受信するだけで、地上デジタル放送の放送番組の番組情報を取得したかのような処理を行うことが可能になる。これにより、ユーザは、衛星デジタル放送と地上デジタル放送を区別することなく、シームレスに利用することもできる。
【図面の簡単な説明】
【００２２】
【図１】本発明の一実施形態に係るテレビ装置の一構成例を示すブロック図である。
【図２】図１のテレビ装置で表示されるＥＰＧの一例を示す図である。
【図３】図２のＥＰＧを表示する際に実行される処理の一例を説明するためのフロー図である。
【図４】図１のテレビ装置における予約処理又は選局処理の一例を説明するためのフロー図である。
【図５】図４の処理において判定に使用されるテーブルの一例を示す図である。
【図６】図１のテレビ装置で表示される検索画面の一例を示す図である。
【図７】図１のテレビ装置における検索処理を伴った予約処理又は選局処理の一例を説明するためのフロー図である。
【図８】図１のテレビ装置で表示されるおすすめ予約リストの一例を示す図である。
【図９】図１のテレビ装置における検索処理を伴ったおすすめ自動録画処理の一例を説明するためのフロー図である。
【図１０】図１のテレビ装置で表示されるチャンネルスキップ設定画面の一例を示す図である。
【図１１】図１のテレビ装置におけるユーザ設定に従った予約処理又は選局処理の一例を説明するためのフロー図である。
【図１２】図１０の画面でＥＰＧにおいて再送信番組の番組情報を利用しないと設定した場合のＥＰＧの一例を示す図である。
【図１３】図１のテレビ装置においてＥＰＧを表示する際に実行される処理の他の例を説明するためのフロー図である。
【図１４】図１のテレビ装置における予約処理又は選局処理の他の例を説明するためのフロー図である。
【発明を実施するための形態】
【００２３】
本発明に係るデジタル放送受信装置は、地上デジタル放送と衛星デジタル放送とが受信可能な装置であって、それらのデジタル放送から音声又は映像及び音声やデータを出力可能な装置であればよく、例えば、デジタルテレビ装置、レコーダ、チューナ、ＳＴＢ（Set Top Box）などの様々な機器が適用できる。ここで、衛星デジタル放送には地デジ難視対策衛星放送が含まれており、地上デジタル放送で放送される放送番組についての再送信番組が放送されているものとする。無論、衛星デジタル放送ではそれ以外の番組も放送されている。
【００２４】
以下、本発明に係るデジタル放送受信装置として、デジタルテレビ装置（以下、単に「テレビ装置」という）を挙げて説明するが、他の機器にも同様の説明が適用できる。例えば、レコーダ、チューナ、ＳＴＢなど映像表示装置を備えず映像表示装置に接続する機器では、以下の説明において、映像表示装置への映像信号の出力で処理を終了させればよい。また、以下の説明では衛星デジタル放送としてＢＳデジタル放送を例に挙げて説明するが、ＣＳデジタル放送など、他の衛星デジタル放送を採用してもよい。
【００２５】
図１は、本発明の一実施形態に係るテレビ装置の一構成例を示すブロック図である。図１で例示するテレビ装置１は、キー入力処理部１１、メニュー処理部１２、選局処理部１３、ＥＰＧ情報処理部１４、予約処理部１５、チューナ１６、デマルチプレクサ（ＤＥＭＵＸ）１７、復号器１８、映像音声処理部１９、映像出力部２０、及び音声出力部２１を備えている。なお、各部の一部、例えばメニュー処理部１２、選局処理部１３、ＥＰＧ情報処理部１４、及び予約処理部１５などは１つのシステムマイコンなどとして構成してもよく、少なくとも本発明に係る後述の番組表処理等を含むような処理を実行するためのプログラムを組み込むことで実現してもよい。このプログラムは、様々な種類の記録媒体に格納して流通させることや、放送波やネットワークを介して流通させることができる。また、テレビ装置１は、映像出力部２０に接続された映像表示装置と音声出力部２１に接続されたスピーカとを備えるものとする（図示せず）。
【００２６】
また、テレビ装置１はリモコン１０により操作可能となっている。リモコン１０は、例えば、電源ボタン、テレビ装置１の各種設定を行うメニュー画面を表示させるメニューボタン、ワンタッチボタンの番号に対応するダイレクト選局ボタン（チャンネルボタン）、３桁チャンネル番号に対応した放送サービス（放送チャンネル）をＵＰ／ＤＯＷＮにより選局するＵＰ／ＤＯＷＮ選局ボタン、ＥＰＧを表示させるためのＥＰＧボタン、メニュー画面やＥＰＧ画面等においてカーソルを上下左右に移動するための各方向ボタン、カーソル位置の内容に決定することで設定や画面移行を行うための決定ボタン、前の画面に戻ったり設定をキャンセルしたりするためのキャンセルボタン、入力ソースを切り換える入力切換ボタン等の各種ボタン（キー）を備えている。
【００２７】
なお、入力ソースの切り換えとは、例えばＢＳデジタル放送、地上デジタル放送、第１外部入力端子、第２外部入力端子等のテレビ装置１に具備される入力ソースの中から、映像・音声を出力するソースを選択することを指す。ＢＳデジタル放送又は地上波デジタル放送が選択された場合、ダイレクト選局ボタン、ＵＰ／ＤＯＷＮ選局ボタンなどの押下に応じて、選択された入力ソース中での選局がなされる。
【００２８】
リモコン１０は、テレビ装置１のユーザによって操作され、テレビ装置１に対してその操作に対応した操作信号を送信する。リモコン１０による操作信号はキー入力処理部１１に具備される受信部で受信される。キー入力処理部１１は、受信した操作信号を解析し操作信号に対応した制御信号を、メニュー処理部１２、選局処理部１３、ＥＰＧ情報処理部１４、及び予約処理部１５のいずれか１又は複数に出力する。このように、リモコン１０及びキー入力処理部１１は、受信するデジタル放送に対して選局操作、ＥＰＧ表示操作、視聴予約や録画予約の設定を行う操作などを、ユーザから受け付ける。テレビ装置１の本体に取付けられているキー又はボタン等でも同様の操作を可能にしておいてもよい。
【００２９】
メニュー処理部１２は、ユーザがリモコン１０のメニューボタンを押下することにより、その制御信号をキー入力処理部１１から受信する。そして、メニュー処理部１２は、その制御信号に応じて映像出力部２０に対してメニュー画像のＯＳＤ（On Screen Display）表示を指示する。メニュー処理部１２は、メニュー画像によるメニュー画面の表示後、その表示を終了させるまで、リモコン１０からの操作信号に対応した制御信号を受信し、メニュー画像の変更、及び各種設定値の変更などの処理を行う。設定値は、メニュー処理部１２の内部又は外部に設けられたＥＥＰＲＯＭ（Electrically Erasable and Programmable Read Only Memory）等の不揮発性メモリに格納しておけばよい。
【００３０】
選局処理部１３は、ユーザがリモコン１０のワンタッチボタン、ＵＰ／ＤＯＷＮ選局ボタン、若しくは３桁入力ボタン及び数字ボタンなどの操作や、ＥＰＧ上での現在放送中の番組の選択・決定による選局操作などの操作により、視聴したい放送サービスを特定した場合に、その放送サービスのチャンネル番号を示す制御信号をキー入力処理部１１から受信する。そして、選局処理部１３は、その制御信号に応じたサービスＩＤ（ｓｅｒｖｉｃｅ＿ｉｄ）へ変換する。
【００３１】
選局処理部１３は、予めＮＩＴ（network information table）より取得し内部メモリに記憶しておいたサービスＩＤと、周波数、ＴＳ＿ｉｄ等との対応関係を示す選局情報から、ユーザ操作により指示のあったサービスＩＤの周波数、ＴＳ＿ｉｄを求め、求めた周波数とＴＳ＿ｉｄをチューナ１６にセットする。これによって、セットしたＴＳ＿ｉｄのトランスポートストリーム（ＴＳ）信号がチューナ１６より出力される。すると、後述するＰＳＩ（Program Specific Information）がＤＥＭＵＸ１７から選局処理部１３に出力され、選局すべきｓｅｒｖｉｃｅ＿ｉｄに関する音声ストリーム及び映像ストリームを指定するための情報が得られる。この値でＤＥＭＵＸ１７を設定することで映像音声処理部１９へ、選局すべきｓｅｒｖｉｃｅ＿ｉｄに関する音声ストリーム及び映像ストリームが出力される。選局処理部１３は、これに伴った処理のスタート／ストップを映像音声処理部１９へ指示することや、映像、音声の出力する／しないを映像出力部２０、音声出力部２１に指示を行う。
【００３２】
チューナ１６は、例えば周波数変換器を備えたアンテナ（図示せず）に接続されている。アンテナは、ＢＳからＴＳパケット形式で放送されるデジタル放送信号を受信して、周波数変換した信号をチューナ１６に出力する。チューナ１６は、復調回路、逆インタリーブ回路、誤り訂正回路等を備えており、映像・音声等のデータを含む高周波デジタル変調信号のうちから特定周波数（特定の伝送チャンネル）の指定したＴＳ信号を取り出す処理を実行する。また、ＢＳデジタル放送での地上デジタル放送の再送信番組も同様にして受信できる。
【００３３】
また、テレビ装置１には、受信したデジタル放送のうちＣＡ（Conditional Access）システムを利用した有料放送及びコンテンツ権利保護システムＲＭＰ（Rights Management and Protection）のために暗号化された放送サービスの映像及び音声の復号のために、契約情報に基づき復号鍵を管理する装置（図示せず）が具備されている。復号する装置の一例としてＢ−ＣＡＳカードシステムを具備している場合、Ｂ−ＣＡＳカード読取部は、テレビ装置１での地上デジタル放送やＢＳデジタル放送の契約情報が記録されたＢ−ＣＡＳカードが挿入可能となっており、挿入されたＢ−ＣＡＳカードに放送波から取得したＥＣＭ（Entitlement Control Message）を渡すことによって、暗号化されたサービスを復号する鍵を、復号器１８へ渡す。これによって暗号化されたサービスが復号される。
【００３４】
そして、地上デジタル放送の難視聴地域で使用されるテレビ装置１のＢ−ＣＡＳカードには、地上デジタル放送の再送信を行うＢＳデジタル放送の伝送チャンネルに対し視聴を許可する情報が登録処理により記録され、一方、難視聴地域以外のＢ−ＣＡＳカードには同伝送チャンネルに対し復号するための鍵がないため暗号化された状態のままになる。そのため、Ｂ−ＣＡＳカードの契約情報によっては、難視聴地域以外の地域において、ＢＳデジタル放送の伝送チャンネルを用いて再送信された地上デジタル放送の映像・音声に対しては出力制限が可能である。但し、通常、ＳＩに対する出力制限は運用しないため、ＥＰＧを表示する際にもその難視聴対策衛星放送番組の情報が表示されることになる。
【００３５】
ＤＥＭＵＸ１７は、チューナ１６から出力されたＭＰＥＧ（Moving Picture Experts Group）−２のＴＳパケットのストリームを、映像（ビデオ）ストリーム、音声（オーディオ）ストリーム、データストリーム、制御ストリームに分離する。また、ＤＥＭＵＸ１７は、選局処理部１３からの指示に従って、指定されたｓｅｒｖｉｃｅ＿ｉｄの音声ストリーム及び映像ストリームを映像音声処理部１９に出力する。また、復号器１８は、Ｂ−ＣＡＳカード読取部から得た鍵情報で視聴が許可されている放送に対し、チューナ１６で受信した暗号化された映像及び音声を復号する。この暗号化されたＴＳパケットに対し、復号するための復号鍵を取り出し、復号器１８に渡すことで復号する。
【００３６】
ＥＰＧ画像を生成するために用いる番組情報は、ＳＩ中の主にＥＩＴ（Event Information Table）のＴＳパケットとして受信される。ここでＢＳデジタル放送の場合、全放送局の番組情報がＳＩに含まれ、再送信ではない通常の地上デジタル放送の場合、各放送局の番組情報がＳＩに含まれる。また、制御ストリームは、ＰＳＩのＴＳパケットとして受信される。ＤＥＭＵＸ１７は、データストリームをＥＰＧ情報処理部１４に出力し、制御ストリームを選局処理部１３に出力する。
【００３７】
ＰＳＩにはＮＩＴも含まれ、さらには、映像音声処理部１９で処理すべきＴＳパケットの特定情報が含まれる。ＳＩ内の情報は、主にＥＰＧを表示するために使用するためＥＰＧ情報処理部１４で利用される。ＳＩのＴＳパケットはデスクランブル処理を施す必要がないため、ＤＥＭＵＸ１７の後段でＢ−ＣＡＳカードの契約情報に拘わらずそのＴＳパケット内の情報を取得し使用することができる。
【００３８】
ＥＰＧ情報処理部１４は、ユーザがリモコン１０でＥＰＧボタンを押下するなどのＥＰＧ画像表示操作を行うことにより、その制御信号をキー入力処理部１１から受信する。そして、ＥＰＧ情報処理部１４は、その制御信号に応じてＳＩから番組情報を得て、全放送サービス分の番組情報からＥＰＧ画像を生成し、映像出力部２０に対してＥＰＧ画像のＯＳＤ表示を指示する。ここで、番組情報は受信信号から直接得るのではなく後述のＥＰＧデータベースから得るようにしてもよい。テレビ装置１のようにＢＳデジタル放送が受信可能な構成では、上述のごとく難視聴地域であるか否かに拘わらず地上デジタル放送の再送信に対してもこのＯＳＤ表示が可能となる。
【００３９】
番組情報を取得するために、ＥＰＧ情報処理部１４は番組情報用のデコーダを有する。そして、ＥＰＧ情報処理部１４は、チューナ１６からＤＥＭＵＸ１７経由で出力されるＴＳパケットのうちＳＩのＥＩＴに関するＴＳパケットを取り込み、番組情報用のデコーダでデコードして、内部メモリに蓄積する。ＢＳデジタル放送の場合、全ての放送サービスの番組情報が一度に送信されているため、一度に全番組情報を内部メモリに蓄積できる。このように全放送サービス分蓄積された番組情報を、以下、ＥＰＧデータベース（ＥＰＧ ＤＢ）と呼ぶ。このＥＰＧ ＤＢは例えば一日単位で書き換えられる。１つのＥＩＴには、１サービスＩＤに関する一定期間に放送される番組の情報が記載され、さらに、該当のサービスＩＤに対応するＴＳ＿ｉｄの値も記載されている。このＴＳ＿ｉｄの値についてもＥＰＧ ＤＢに蓄積する。
【００４０】
映像音声処理部１９は、例えばＭＰＥＧ−２用のビデオデコーダ（映像デコーダ）、オーディオデコーダ（音声デコーダ）、映像処理回路、音声処理回路等を内蔵している。映像音声処理部１９では、入力された音声のＴＳパケットストリームを音声デコーダでデコードして音声信号を生成し、音声処理回路で各種音声処理を施した後にその音声信号を音声出力部２１に出力する。音声出力部２１はその音声信号をＤ／Ａ変換し、例えば右（Ｒ）音のアナログ信号及び左（Ｌ）音のアナログ信号を生成して増幅して、スピーカに出力する。これによりスピーカから音声が発生する。
【００４１】
また、映像音声処理部１９では、入力された映像のＴＳパケットストリームを映像デコーダによりデコードして映像信号を生成し、映像処理回路で各種映像処理を施した後にその映像信号を映像出力部２０に出力する。この出力時には音声との同期を行うものとする。映像出力部２０は、映像音声処理部１９からの映像信号に基づいて映像表示装置に表示させる映像信号を生成する。そのため映像出力部２０は、例えばスケーラ、ＯＳＤ処理部、フレームメモリ等を内蔵しており、スケーリング、映像表示装置で表示可能な形式の映像信号（例えばコンポジット映像信号）への変換、ＯＳＤ画像の重畳などの処理を行い、映像表示装置へその映像信号を出力する。
【００４２】
次に、本発明の主たる特徴である番組表処理部について説明する。図１ではこの番組表処理部をＥＰＧ情報処理部１４で示している。ＥＰＧ情報処理部１４は、上述したようなＥＰＧの表示のための出力や、ＥＰＧに基づく番組検索を行う。
【００４３】
さらに、ＥＰＧ情報処理部１４は、その主たる特徴として、ＢＳデジタル放送の放送番組についてのＥＰＧに係わる処理に際し、ＢＳデジタル放送による再送信番組についての受信契約情報が存在しなかった場合（再送信番組の視聴契約がない場合）には、再送信番組の番組情報を、対応する地上デジタル放送の放送番組用として用いる。この利用方法については、様々な例を後述する。なお、この受信契約情報は再送信番組について共通であるため、受信契約情報が存在するか否かの判定のタイミングは再送信番組の番組情報を利用する前であれば、どのタイミングでもよい。
【００４４】
図２及び図３を参照してこの利用方法の一例を説明する。図２は、図１のテレビ装置で表示されるＥＰＧの一例を示す図、図３は、図２のＥＰＧを表示する際に実行される処理の一例を説明するためのフロー図である。
【００４５】
図２で示すＥＰＧ３０は、ＢＳデジタル放送の番組表であり、例えばチャンネル欄３８に含まれる番組のような通常のＢＳデジタル放送番組の他に、例えばチャンネル欄３１〜３７に含まれる番組のような難視聴対策衛星放送番組の情報も表示されることになる。これは、上述したように、ＳＩに対する出力制限をしないためである。ＥＰＧ３０は、同列に同じチャンネルの番組情報が記述され、同行で同時刻を表している。
【００４６】
例えば、チャンネル欄３８には、通常のＢＳデジタル放送として放送されるＳＨＫ総合・ＢＳ１のチャンネルであって、ワンタッチチャンネル番号が「１」、サービスＩＤが「１０１」で規定されるサービスについて、午後８時〜午前２時に放送される合計４つの番組が記述されている。サービスＩＤは、３桁チャンネル番号に対応している。
【００４７】
さらに、チャンネル欄３１には、地上デジタル放送で放送されるＳＨＫ総合・東京の再送信チャンネルであって、サービスＩＤが例えば「２９１」で規定されるサービスについて、午後８時〜午前２時に放送される合計４つの番組が記述されている。また、各チャンネル欄３１〜３８には放送局のロゴも表示されている。無論、ＥＰＧ３０において行列を入れ替えた番組表を採用してもよい。
【００４８】
但し、図２で例示したように、サービスＩＤが「２９１」であるなど、少なくとも難視聴対策衛星放送番組である再送信番組については３桁チャンネル番号を表示していない。このように、ＥＰＧ情報処理部１４は、受信契約情報が存在しなかった場合には、再送信番組のチャンネル番号を表示しないようにすることが好ましい。
【００４９】
このような非表示処理についての流れを説明する。事前に、図示しないＢ−ＣＡＳカード読取部に指示して契約情報を読み出し、地デジ難視対策衛星放送の受信契約が済んでいるか否かを判定し、受信契約が済んでいない場合のみ、以下の処理を実行する。
【００５０】
ＥＰＧの表示処理を行うとき、まずＥＰＧ情報処理部１４は、ＥＰＧ上で先ほど選択された番組が、ＴＳ＿ｉｄが“０ｘ４３１０”であるか、若しくはＴＳ＿ｉｄが“０ｘ４３１１”であるか、若しくはbroadcaster_idが“０ｘ１５”であるかを判定する（ステップＳ１）。
【００５１】
ここで、判定に用いたＴＳ＿ｉｄ及びbroadcaster_idについて説明する。各時期において、トランスポンダに対応する伝送周波数（伝送チャンネル）毎に、「０ｘ・・・・」で示すＴＳ＿ｉｄの放送サービスが複数、提供される。なお、「０ｘ」はその後に続く整数リテラル（ここでは４桁の数字）が１６進数表記であることを指す。このうち、ＴＳ＿ｉｄが“０ｘ４３１０”であれば、サービスＩＤが２９１，２９２，２９４の放送サービスが含まれ、ＴＳ＿ｉｄが“０ｘ４３１１”であれば、サービスＩＤが２９５，２９６，２９７，２９８の放送サービスが含まれる。これら合計７つのサービスＩＤは、７つのキー局の地上波デジタル放送（関東）の再送信サービスとして定められている。放送サービスの番号（ｓｅｒｖｉｃｅ＿ｉｄ）とＴＳ＿ｉｄの対応付けは、前述のＮＩＴに記載されており、取得したときに周波数情報と共に選局処理部１３へ保存すればよい。また、再送信サービスによって放送された番組（地デジ難視対策衛星放送の番組）であることは、broadcaster_idが“０ｘ１５”であることによっても判断できる。broadcaster_id“０ｘ１５”は、その放送番組が、社団法人デジタル放送推進協会が放送事業者となって放送されていることを示している。
【００５２】
ステップＳ１でＹＥＳの場合、チャンネル欄３１〜３７で例示したように、３桁チャンネル番号を非表示にする（ステップＳ２）。そのため、ＥＰＧ情報処理部１４は、再送新番組の番組情報を読み出す際に３桁チャンネル番号を読み出さないようにすればよい。若しくは、元々、ＢＳデジタル放送全体についてのＥＰＧ表示のために、３桁チャンネル番号を表示用に出力するようにしている場合には、再送信番組の３桁チャンネル番号についてはこの処理後に消去するようにしてもよい。
【００５３】
一方、ステップＳ１でＮＯの場合、つまりＴＳ＿ｉｄが“０ｘ４３１０”や“０ｘ４３１１”でなく、broadcaster_idが“０ｘ１５”でもない場合には、チャンネル欄３８で例示したように、通常通り３桁チャンネル番号つきで表示を行う（ステップＳ３）。但し、再送信番組以外のＢＳデジタル放送番組についても３桁チャンネル番号を非表示にしてもよい。
【００５４】
この利用方法では、ＢＳデジタル放送の番組情報だけから表示させたＥＰＧであるにも拘わらず、ユーザにとっては、一見してＢＳデジタル放送の再送信番組と地上デジタル放送番組とが区別つかず、ＢＳデジタル放送及び地上デジタル放送の双方で放送される番組を一緒に表示したかのように見える。つまり、ＢＳデジタル放送のＥＰＧで地上デジタル放送番組の番組情報（但し、実際に用いるのは再送信番組の番組情報）を含めて表示できる。
【００５５】
次に、利用方法の他の例として、予約処理部１５での予約設定や選局処理部１３での選局に利用することを説明する。
ＥＰＧ情報処理部１４は、ＥＰＧ画像によるＥＰＧ画面の表示後、その表示を終了させるまで、リモコン１０からの操作信号に対応した制御信号を受信し、ＥＰＧ画像の変更処理などの処理を行う。例えば図２では、番組４０がユーザにより選択された状態を示しており、その際、番組４０の詳細な情報が選択番組情報表示欄４１にも表示されている。ＥＰＧ３０では、上下の方向ボタンの操作により時間軸を変えることができ、左右の方向ボタンの操作により表示チャンネルを変えることができる。
【００５６】
そして、ＥＰＧ情報処理部１４は、ＥＰＧ表示中に決定ボタン等によって録画予約又は視聴予約される番組が決定したときには、予約処理部１５に録画予約処理又は視聴予約処理を依頼する。なお、録画予約と視聴予約の双方が実行可能な構成では、決定ボタン後にいずれかの予約であるかをユーザ選択できるようにしておけばよい。
【００５７】
予約処理部１５は、ＥＰＧ情報処理部１４からの依頼により、視聴予約及び／又は録画予約に関する処理を実行する。予約処理部１５は、次に説明する予約設定部及び予約実行部を備える。予約設定部は、ＥＰＧからのユーザ操作に基づき、つまりＥＰＧを表示した状態で受け付けた番組選択操作に基づき、放送番組の視聴予約又は録画予約の設定を行う。予約の内容は、予約処理部１５の内部又は外部に設けられたＥＥＰＲＯＭ等の不揮発性メモリに格納しておけばよい。予約実行部は、その設定に従って予約時間の到来により放送番組の出力（視聴のための出力）又は放送番組の録画を実行する。無論、録画予約及び録画実行については、図示しないがテレビ装置１に録画装置が具備されるか接続されていることを前提とする。
【００５８】
予約設定部は、ＥＰＧから再送信番組に対して視聴予約又は録画予約を行うユーザ操作を受けた場合で且つ受信契約情報が存在しなかった場合、そのまま予約を行うのではなく、ＥＰＧ情報処理部１４からの制御に従い、再送信番組に対応する地上デジタル放送の放送番組について視聴予約又は録画予約の設定を行う。
【００５９】
また、ＥＰＧ情報処理部１４は、ＥＰＧ表示中に決定ボタン等のユーザ操作がなされたとき、現在、放送中の番組（非契約で視聴できない再送信番組を含む）であった場合は、予約ではなく選局処理部１３に選局を指示する。選局処理部１３は、ＥＰＧから再送信番組に対して選局を行うユーザ操作を受けた場合で且つ受信契約情報が存在しなかった場合、そのまま選局するのではなく、ＥＰＧ情報処理部１４からの制御に従い、その再送信番組に対応する地上デジタル放送の放送番組を選局する。
【００６０】
上述のごとき構成のテレビ装置１で実行されるＥＰＧからの予約処理や選局処理について、詳細に説明する。なお、以下では、説明の簡略化のため、視聴予約、録画予約を問わず「予約」として説明する。
【００６１】
図４は、図１のテレビ装置における予約処理又は選局処理の一例を説明するためのフロー図、図５は、図４の処理において判定に使用されるテーブルの一例を示す図である。この例でも、事前に地デジ難視対策衛星放送の受信契約が済んでいるか否かを判定し、受信契約が済んでいない場合のみ、以下の処理を実行する。
【００６２】
ユーザがＥＰＧ上で予約する番組を選択したとき、ＥＰＧ情報処理部１４は、まずＥＰＧ上で先ほど選択された番組が、ＴＳ＿ｉｄが“０ｘ４３１０”であるか、若しくはＴＳ＿ｉｄが“０ｘ４３１１”であるか、若しくはbroadcaster_idが“０ｘ１５”であるかを判定する（ステップＳ１１）。
【００６３】
このように、ステップＳ１１では、選択された番組が地デジ難視対策衛星放送の番組であるか否かを判定している。ステップＳ１１でＮＯの場合には、予約処理部１５の予約設定部又は選局処理部１３は、ＥＰＧ情報処理部１４からの制御に従い、ＥＰＧ上で先ほど選択された番組をそのまま予約する設定又はそのまま選局を行う（ステップＳ１５）。
【００６４】
一方、ステップＳ１１でＹＥＳの場合、予約設定部又は選局処理部１３は、ＥＰＧ情報処理部１４からの制御に従い、ＥＰＧ情報処理部１４と協働して、サービス番号（サービスＩＤ）に対応する地上デジタル放送のＴＳ＿ｉｄを読み出す（ステップＳ１２）。ステップＳ１２では先ほど選択された番組のサービスＩＤが“２９１”，“２９２”，“２９４”〜“２９８”のいずれかであるため、それぞれに対応するＴＳ＿ｉｄを読み出せばよい。ステップＳ１２の処理後、予約設定部又は選局処理部１３は、ＥＰＧ情報処理部１４と協働して、サービスＩＤに対応して読み出したＴＳ＿ｉｄに基づきＥＰＧデータをＥＰＧ ＤＢから読み出す（ステップＳ１３）。このとき、検索結果として地上デジタル放送の放送番組が読み出される。
【００６５】
ステップＳ１２，Ｓ１３では、先ほど選択された番組のサービスＩＤに対応する地上デジタル放送の番組のＴＳ＿ｉｄを、図５で例示したような予め格納されたテーブル４５によって判定し、その判定の結果が示すＴＳ＿ｉｄの番組情報を読み出す。テーブル４５は、サービスＩＤとＴＳ＿ｉｄとの対応表であり、例えば先ほど選択された番組のサービスＩＤが“２９２”であった場合、ＴＳ＿ｉｄが“０ｘ７ＦＥ１”の番組情報を読み出す。そして、予約処理部１５の予約設定部又は選局処理部１３は、読み出した番組情報で予約設定又は選局を実行する（ステップＳ１４）。ステップＳ１４で設定された予約は、先ほど選択された地デジ難視対策衛星放送の番組に対応する地上デジタル放送の放送番組の予約となり、予約処理部１５の予約実行部により正しく予約が遂行できる。
【００６６】
このように、見かけ上では地上デジタル放送番組ではあるが実際には再送信番組（難視聴対策衛星放送番組）に対して予約又は選局を行うユーザ操作を、ＥＰＧから受けた場合、予約処理部１５の予約設定部又は選局処理部１３は、自動的にその再送信番組に対応する地上デジタル放送の放送番組について予約設定又は選局を行う。つまり、この例では、地上デジタル放送の予約設定用又は選局用に、再送信番組の番組情報を利用している。
【００６７】
なお、図２のＥＰＧ３０に基づき、予約操作や選局操作を行った例を挙げたが、これに限らない。つまり、再送信番組についても３桁チャンネル番号を表示しているＥＰＧ上から、予約操作や選局操作を受け取っても、同様の処理を行うようにしてもよい。
【００６８】
次に、図６及び図７を併せて参照しながら、検索結果で３桁チャンネル番号を表示しない例について説明する。
図６は、図１のテレビ装置で表示される検索画面の一例を示す図、図７は、図１のテレビ装置における検索処理を伴った予約処理又は選局処理の一例を説明するためのフロー図である。
【００６９】
図６で示す検索画面６０は、ＥＰＧ画面の一種であり、図２のＥＰＧ３０から所定の操作により遷移した画面か、若しくはＥＰＧ３０の表示を経ずに表示された画面である。検索としては、録りたいジャンルの番組だけを表示する「ジャンル別番組表示」や、「再放送番組」や「副音声のある」などの条件に合致する番組だけを表示する「特徴検索」、番組名や情報が一致する番組を探して表示する「キーワード検索」などが挙げられる。検索画面６０には、このうち、特徴検索とキーワード検索とが、それぞれ検索キー入力欄６１，６２からの検索キーの入力により実行可能になっている。
【００７０】
検索を実行する操作により、ＥＰＧ情報処理部１４が、検索キーに基づきＥＰＧ ＤＢ内の番組情報から検索処理を行い、検索結果一覧６３を表示する（ステップＳ２１）。検索結果一覧６３では、ＢＳデジタル放送の番組情報についてのみ３桁チャンネル番号を表示する。この表示方法は上述した通りである。ＥＰＧ情報処理部１４は、このうち１つの番組が選択された時点で（ステップＳ２２でＹＥＳの場合）、図４のステップＳ１１〜Ｓ１５と同様の処理を行う（ステップＳ２３〜Ｓ２７）。
【００７１】
このように、３桁チャンネル番号の非表示の処理は、図２で例示したようなＢＳデジタル放送の放送番組の番組情報をＥＰＧ表示用に出力する場合だけでなく、検索結果表示用に出力する場合にも施すことが好ましい。
【００７２】
次に、図８及び図９を併せて参照しながら、自動録画処理で自動録画対象の番組のリストで、３桁チャンネル番号を表示しない例について説明する。この例は、再送信番組の番組情報の利用方法として、自動録画時の検索処理も行う例でもある。
図８は、図１のテレビ装置で表示されるおすすめ予約リストの一例を示す図、図９は、図１のテレビ装置における検索処理を伴ったおすすめ自動録画処理の一例を説明するためのフロー図である。
【００７３】
ここで説明する例のテレビ装置１は、視聴履歴に基づき推奨する放送番組（の番組情報）を抽出し、録画する推奨番組自動録画部（図示せず）を備える。ここでは推奨番組自動録画部が予約処理部１５の一部として具備されるものとして説明する。推奨する放送番組としては、例えばユーザが頻繁に視聴している番組やそれとジャンルや出演者などが一致する番組が挙げられ、これらは、別途蓄積して解析した視聴履歴に基づき上述したＥＰＧ検索を用いて抽出される。
【００７４】
そして、推奨番組自動録画部は、推奨する放送番組として再送信番組を抽出した場合で且つ受信契約情報が存在しなかった場合には、ＥＰＧ情報処理部１４からの制御により、再送信番組の番組情報に対応する地上デジタル放送の放送番組の番組情報を、推奨する放送番組として録画する。抽出のタイミングは、例えば定期的又はＢＳデジタル放送のＥＰＧ取得完了時でよく、自動録画は、その抽出のタイミングで自動的に予約設定すればよい。
【００７５】
この処理手順を説明する。まず、予約処理部１５は、推奨番組自動録画部の地上デジタル放送の自動録画機能を上記抽出のタイミングで起動させる（ステップＳ３１）。次いで、ＥＰＧ情報処理部１４が、推奨する番組（おすすめ番組）をＥＰＧ ＤＢから検索を開始する（ステップＳ３２）。実際の検索に先立ち、ＥＰＧ情報処理部１４は、地上デジタル放送の番組情報が取得済みであるか否かを判定する（ステップＳ３３）。
【００７６】
ステップＳ３３でＹＥＳの場合には、ＥＰＧ情報処理部１４が、視聴履歴に基づき地上デジタル放送の番組情報の中からおすすめ番組を検索し、おすすめ番組の有無を判定し（ステップＳ３４）、推奨番組自動録画部に渡す。おすすめ番組があった場合、推奨番組自動録画部は、それを予約処理部１５の予約設定部に渡し、録画予約を設定させ、予約実行部がその予約を実行する（ステップＳ３５）。一方、おすすめ番組がなかった場合、推奨番組自動録画部は録画予約を行わずに、つまり録画を行わずに処理を終了する（ステップＳ３６）。
【００７７】
ステップＳ３３でＮＯの場合には、ＥＰＧ情報処理部１４が視聴履歴に基づき地デジ難視対策衛星放送番組（再送信番組）の番組情報の中からおすすめ番組を検索し（ステップＳ３７）、おすすめ番組の有無を判定し（ステップＳ３８）、推奨番組自動録画部に渡す。おすすめ番組がなかった場合、推奨番組自動録画部は録画予約を行わずに、つまり録画を行わずに処理を終了する（ステップＳ３９）。
【００７８】
一方、おすすめ番組があった場合、推奨番組自動録画部は、ＥＰＧ情報処理部１４からの制御に従い、そのおすすめ番組の情報を予約処理部１５の予約設定部に渡し、図４のステップＳ１２と同様に、予約設定部がＥＰＧ情報処理部１４と協働してサービス番号に対応する地上デジタル放送のＴＳ＿ｉｄを読み出す（ステップＳ４０）。続いて、予約設定部がこのＴＳ＿ｉｄの番組情報に基づき録画予約を設定させ、予約実行部がその予約を実行する（ステップＳ４１）。ステップＳ４１では再送信番組を対応する地上デジタル放送の番組に置き換えて録画することになる。なお、ＢＳデジタル放送で且つ非再送信番組については説明していないが、同時に従来通り検索・録画予約すればよい。
【００７９】
このようにして予約設定がなされた番組は、ユーザ操作により図８で例示したようなおすすめ番組リスト８０として表示することができる。このおすすめ番組リスト８０では、推奨する番組の一覧８１が表示されており、この一覧８１からも予約内容の確認や変更、取り消しが可能となっている。そして、一覧８１では、ＢＳデジタル放送の番組情報についてのみ３桁チャンネル番号を表示する。
【００８０】
また、録画する番組を推奨する例を挙げたが、視聴をすすめる番組をユーザに提示するだけでもよい。そのためには、テレビ装置１は、視聴履歴に基づき推奨する放送番組（の番組情報）を抽出し、ユーザに表示用出力によって提示する推奨番組提示部を備えておく。この提示のタイミングとしては、ユーザが提示要求の操作を行ったときや、ＥＰＧ画面を表示したときなどが挙げられる。
【００８１】
そして、推奨番組提示部は、推奨番組自動録画部での処理と同様に、推奨する放送番組として再送信番組を抽出した場合で且つ受信契約情報が存在しなかった場合には、ＥＰＧ情報処理部１４からの制御により、再送信番組の番組情報に対応する地上デジタル放送の放送番組の番組情報を、推奨する放送番組として提示する。提示の方法としては、おすすめ番組リスト８０と同様でよい。また、提示したリストから録画予約や視聴予約を可能にしておくとよい。
【００８２】
以上の説明では、上述した様々な再送信番組の番組情報の利用方法について機能させることを前提にしたが、機能させるか否かはユーザ設定にゆだねるようにしてもよい。
【００８３】
このような例を図１０〜図１２を参照しながら説明する。図１０は、図１のテレビ装置で表示されるチャンネルスキップ設定画面の一例を示す図、図１１は、図１のテレビ装置におけるユーザ設定に従った予約処理又は選局処理の一例を説明するためのフロー図である。また、図１２は、図１０の画面でＥＰＧにおいて再送信番組の番組情報を利用しないと設定した場合のＥＰＧの一例を示す図である。
【００８４】
ここで例示するテレビ装置１は、ＥＰＧ情報処理部１４が、再送信番組の番組情報を対応する地上デジタル放送の放送番組用として用いる処理を実行するか否かを、ユーザ操作により設定させる設定部を備える。この設定部は、リモコン１０からの所定操作を受けるキー入力処理部１１と、それに基づき設定画面を開くメニュー処理部１２とを有する。ここではこの設定画面として、図１０に示すチャンネルスキップ設定画面１００を挙げる。上記設定部によるユーザ設定をチャンネルスキップの設定と同時に行う例を挙げているが、例えば単独の設定画面を用意しておいてもよい。
【００８５】
チャンネルスキップ設定画面１００では、放送形態一覧１０１から地上デジタル放送、ＢＳデジタル放送、ＣＳデジタル放送が設定対象として選択可能となっている。そのうち、ＢＳデジタル放送１０１ａが選択されたとき、ＢＳデジタル放送の放送事業者一覧１０２が表示される。放送事業者一覧１０２に地デジ難視対策衛星放送１０２ａを含んでおき、それをユーザが選択すると、再送信番組のチャンネル一覧１０４が表示される。
【００８６】
チャンネルスキップ設定１００では、チャンネル一覧１０４から各チャンネルについて、ＥＰＧで表示をスキップするか否かと、ＵＰ／ＤＯＷＮ選局ボタンでの選局をスキップするか否かとが設定可能になっている。また、一括設定ボタン１０３ａと個別設定ボタン１０３ｂとが選択可能に表示されており、一括設定ボタン１０３ａを選択することで、一括でこれらのスキップ設定が可能になる。一方で、個別設定ボタン１０３ｂを選択することで、チャンネル一覧１０４から例えば３桁チャンネル番号が「２９２」のチャンネル１０４ａを選択してそのスキップの有無を設定することができる。
【００８７】
一括設定を行う場合、地上デジタル放送に代替するためのボタン１０５が選択可能に表示される。ボタン１０５が選択されると地上デジタル放送に代替するように、つまり再送信番組の番組情報を利用するように設定できる。後述のボタン１０６〜１０９のいずれかを押すことで、利用しないように設定できる。
【００８８】
再送信番組の番組情報を利用しないと設定した場合には、図１２で示すＥＰＧ３０のように、再送信番組についても３桁チャンネル番号が表示され、利用すると設定した場合には、図２で示すＥＰＧ３０のように再送信番組については３桁チャンネル番号が非表示になる。
【００８９】
また、一括設定を行う場合、ボタン１０５の他に、ＥＰＧと選局時にスキップするかについて、両方する設定を行うボタン１０６、ＥＰＧのみに設定を行うボタン１０７、選局のみに設定を行うボタン１０８、両方しない設定を行うボタン１０９が選択可能に表示されている。ユーザはボタン１０５〜１０９の中から１つのボタンを選択することになる。
【００９０】
また、予約処理、選局処理、検索結果等の表示処理においても、同様に上記設定部での設定によって処理を変えることができる。ボタン１０５が選択されて設定がなされた場合の予約又は選局処理について、例を挙げて説明する。予約操作又は選局操作がＥＰＧ３０上からなされた場合、まずＥＰＧ情報処理部１４が上記設定部で設定した内容を読み出して、代替処理、つまり再送信番組の番組情報の利用を行うか否かを判定する（ステップＳ５１）。続いて、ＥＰＧ情報処理部１４は、このうち選択された放送番組について、図４のステップＳ１１〜Ｓ１５と同様の処理を行う（ステップＳ５２〜Ｓ５６）。なお、ステップＳ５１のような判定はＥＰＧの表示時にも行う。
【００９１】
次に、地上デジタル放送の地域設定と、再送信番組の番組情報の利用との関係について、図１２〜図１４を参照しながら説明する。
図１３は、図１のテレビ装置においてＥＰＧを表示する際に実行される処理の他の例を説明するためのフロー図、図１４は、図１のテレビ装置における予約処理又は選局処理の他の例を説明するためのフロー図である。
【００９２】
ＥＰＧ情報処理部１４は、テレビ装置１で設定された地域設定（基本的に地上デジタル放送の受信のための地域設定）が所定地域である場合のみ、再送信番組の番組情報を、対応する地上デジタル放送の放送番組用として用いることが好ましい。上記所定地域として関東地方を挙げて説明する。
【００９３】
ＥＰＧの表示操作がなされたとき、ＥＰＧ情報処理部１４は、図１３に示すように、事前に設定された地域設定が関東地方に含まれるか否かを判定する（ステップＳ６１）。ＹＥＳの場合、ＥＰＧ情報処理部１４は、地デジ難視対策衛星放送を地上デジタル放送として、図２のＥＰＧ３０のように再送信番組については３桁チャンネル番号を非表示状態にしてＥＰＧ表示を行う（ステップＳ６２）。一方、ステップＳ６１でＮＯの場合、ＥＰＧ情報処理部１４は、そのまま、図１２のＥＰＧ３０のように３桁チャンネル番号を表示状態にしてＥＰＧ表示を行う（ステップＳ６３）。
【００９４】
また、ＥＰＧからの予約又は選局操作がなされたときにも、ＥＰＧ情報処理部１４は、図１４に示すように、事前に設定された地域設定が関東地方に含まれるか否かを判定する（ステップＳ７１）。ステップＳ７１でＹＥＳの場合、上述の予約又は選局操作により選択された放送番組について、図４のステップＳ１１〜Ｓ１５と同様の処理を行う（ステップＳ７２〜Ｓ７６）。ステップＳ７１でＮＯの場合には、ステップＳ７６へ進み、選択された番組をそのまま選局又は予約設定する。
【００９５】
所定地域として関東地方を挙げたが、実際、地デジ難視対策衛星放送では、関東地方以外では、関東地方で地上デジタル放送がなされているＮ個の放送局の番組の中で、例えば１つの放送局の番組を除いて再送信がなされている。一方で、ＢＳデジタル放送では全局ＳＩで番組情報が伝送されるため、そこには上記１つの放送局の番組についての番組情報も含まれてしまっており、ＥＰＧに上記１つの放送局の番組についての番組情報も表示される。従って、地域設定が関東地方以外の場合に、本発明に係る再送信番組の番組情報の利用方法を適用しないことが好ましい。
【００９６】
また、テレビ装置１は、この地域設定に応じた利用／非利用の処理を、上記設定部での設定処理と併用してもよい。その場合、地域設定が所定地域である場合のみ、ユーザ操作による設定を可能としておけばよい。無論、デフォルトとして、再送信番組の番組情報を対応地上デジタル放送の放送番組用として用いるようにしておき、ユーザ操作により変更可能なように、テレビ装置１を構成することもできる。
【００９７】
以上の説明では、基本的に、ＢＳデジタル放送についてのＥＰＧ表示の処理を前提に説明したが、本発明に係る利用方法には、地上デジタル放送のＥＰＧ表示時やそのＥＰＧ上での検索時や予約設定時にも、再送信番組の番組情報を利用することができる。
【００９８】
より具体的には、ＥＰＧ情報処理部１４は、地上デジタル放送の放送番組についてのＥＰＧに係わる処理に際し、地上デジタル放送の放送番組の番組情報を全局取得できていない場合には、再送信番組の番組情報を代わりに用いるようにする。検索処理自体については、図９のステップＳ３３での判定及びその判定後の処理で例示した通りである。
【００９９】
また、取得できていない地上デジタル放送の番組情報だけ再送信番組の番組情報を用いてもよいが、少しでも取得できていなかったら、全て再送信番組の番組情報を用いるようにすることが好ましい。なお、上記受信契約情報が存在した場合でも、この処理を行ってもよいが、存在した場合には基本的に地上デジタル放送は受信できないことになるため、結局視聴などはできない。また、このような地上デジタル放送での利用方法を有効にするか否かについても、ユーザ設定や地域設定に基づくようにしてもよい。
【０１００】
以上、本発明に係るテレビ装置１によれば、地上デジタル放送をしばらく受信しない状態であっても、ＢＳデジタル放送を一回受信するだけで地デジ難視対策放送を含めてＥＰＧのための情報を取得できるため、地上デジタル放送の放送番組の番組情報を取得したかのような処理を行うことが可能になる。これは、地デジ難視対策衛星放送が、地デジ難視聴世帯にのみ視聴可能な状態で地デジの放送波を衛星を使ってサイマル放送され、且つ、ＢＳデジタル放送のＥＰＧの情報は全局ＳＩの仕組みで伝送されることを利用したものである。
【０１０１】
また、再送信番組の番組情報の様々な利用方法を説明したが、これらの利用方法を兼ね備えることにより、ユーザは、ＢＳデジタル放送と地上デジタル放送を区別することなく、シームレスに利用することができる。
【０１０２】
なお、本発明について、ＥＰＧが放送波により伝送される番組情報を利用した番組表であることを前提に説明したが、ネットワーク経由で取得したＥＰＧであってもよい。特に、地上デジタル放送の番組情報についてのみネットワーク経由で取得する場合に効果を奏する。
【０１０３】
また、テレビ装置１を購入して設定したばかりで且つ地デジ難視聴世帯でありながら未契約の場合には当然のことながら契約が必要となるが、これは本発明を適用するかしないかによって変わるものではない。
【０１０４】
また、本発明に係るデジタル放送受信装置が、衛星デジタル放送で再送信を行っている状況で再送信番組の予約の設定を行う装置であると説明した。同様に、本発明に係るデジタル放送受信装置は、衛星デジタル放送だけでなく、地上デジタル放送で放送される放送番組についての再送信番組を含む、ＩＰ（Internet Protocol）テレビ放送も受信可能に構成してもよい。そしてそのような構成において、ＥＰＧ情報処理部１４で例示した番組表処理部は、ＩＰテレビ放送（ＩＰ放送）の放送番組についてのＥＰＧに係わる処理に際し、ＩＰテレビ放送による再送信番組についての受信契約情報が存在しなかった場合には、再送信番組の番組情報を、対応するＩＰテレビ放送の放送番組用として用いる。なお、ＩＰテレビ放送の場合には、ＥＰＧはネットワーク経由で取得すればよい。また、衛星デジタル放送について説明した応用例は、ＩＰテレビ放送にも同様に適用できる。無論、デジタル放送受信装置は、ＩＰテレビ放送と地上デジタル放送とのみを受信可能にし、このような再送信番組の利用を行うようにしてもよい。
【符号の説明】
【０１０５】
１…テレビ装置、１０…リモコン、１１…キー入力処理部、１２…メニュー処理部、１３…選局処理部、１４…ＥＰＧ情報処理部、１５…予約処理部、１６…チューナ、１７…ＤＥＭＵＸ、１８…復号器、１９…映像音声処理部、２０…映像出力部、２１…音声出力部、３０…ＥＰＧ。
【図１】
2012039175.tif 000003
【図２】
2012039175.tif 000004
【図３】
2012039175.tif 000005
【図４】
2012039175.tif 000006
【図５】
2012039175.tif 000007
【図６】
2012039175.tif 000008
【図７】
2012039175.tif 000009
【図８】
2012039175.tif 000010
【図９】
2012039175.tif 000011
【図１０】
2012039175.tif 000012
【図１１】
2012039175.tif 000013
【図１２】
2012039175.tif 000014
【図１３】
2012039175.tif 000015
【図１４】
2012039175.tif 000016